【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
コンピューティングデバイスとの双方向通信を提供するように構成された通信サブシステムと、
フォースフィードバックトリガーアセンブリであって、
印加された外力に応答してトリガー軸の周りを旋回するように構成されたユーザー作動可能なトリガーと、
前記通信サブシステムに通信可能に結合され、前記通信サブシステムを介して前記ユーザー作動可能なトリガーの引っ張りパラメーターを前記コンピューティングデバイスへ送るように構成されたエンコーダーと、
を含んだフォースフィードバックトリガーアセンブリと、
前記フォースフィードバックトリガーアセンブリに直接的に結合されると共に前記通信サブシステムに通信可能に結合され、前記通信サブシステムを介して前記コンピューティングデバイスから受け取られたバイブレーション信号に応答して前記ユーザー作動可能なトリガーを振動させるように構成されたトリガーバイブレーターと、
を備える入力デバイス。
【請求項２】
前記トリガーバイブレーターは、偏心質量を質量軸の周りに回転させるように構成された回転モーターを含む、請求項１に記載の入力デバイス。
【請求項３】
前記トリガーバイブレーターは、前記ユーザー作動可能なトリガーに直接的に結合されている、請求項２に記載の入力デバイス。
【請求項４】
前記質量軸は、前記トリガー軸からほぼ径方向に方向付けられている、請求項３に記載の入力デバイス。
【請求項５】
前記質量軸は、前記トリガー軸に対してほぼ接線方向に方向付けられている、請求項３に記載の入力デバイス。
【請求項６】
前記質量軸は、前記トリガー軸に対してほぼ平行に方向付けられている、請求項３に記載の入力デバイス。
【請求項７】
前記トリガーは実質的に中空であり、前記トリガーバイブレーターは前記トリガーの内側に結合されている、請求項３に記載の入力デバイス。
【請求項８】
前記フォースフィードバックトリガーアセンブリは、前記ユーザー作動可能なトリガーと前記エンコーダーとの間に直接的に結合されたトリガーアクチュエーターを更に含み、前記トリガーアクチュエーターは、アクチュエーター軸の周りを旋回するように構成されると共に、前記ユーザー作動可能なトリガーの旋回を前記エンコーダーへ伝えるように更に構成され、前記トリガーバイブレーターは、前記トリガーアクチュエーターに直接的に結合されている、請求項２に記載の入力デバイス。
【請求項９】
前記質量軸は、前記アクチュエーター軸からほぼ径方向に方向付けられている、請求項８に記載の入力デバイス。
【請求項１０】
前記質量軸は、前記アクチュエーター軸に対してほぼ接線方向に方向付けられている、請求項８に記載の入力デバイス。
【請求項１１】
前記質量軸は、前記アクチュエーター軸に対してほぼ平行に方向付けられている、請求項８に記載の入力デバイス。
【請求項１２】
コンピューティングデバイスとの双方向通信を提供するように構成された通信サブシステムと、
フォースフィードバックトリガーアセンブリであって、
印加された外力に応答してトリガー軸の周りを旋回するように構成されたユーザー作動可能なトリガーと、
前記通信サブシステムに通信可能に結合され、前記通信サブシステムを介して前記ユーザー作動可能なトリガーの引っ張りパラメーターを前記コンピューティングデバイスへ送るように構成されたエンコーダーと、
を含んだフォースフィードバックトリガーアセンブリと、
前記フォースフィードバックトリガーアセンブリに直接的に結合されると共に前記通信サブシステムに通信可能に結合され、前記通信サブシステムを介して前記コンピューティングデバイスから受け取られたバイブレーション信号に応答して前記ユーザー作動可能なトリガーを振動させる偏心質量を回転させるように構成された回転モーターと、
を備える入力デバイス。
【請求項１３】
コンピューティングデバイスとの双方向通信を提供するように構成された通信サブシステムと、
中空の本体と、
前記中空の本体の内側に結合され、前記通信サブシステムから受け取られた本体バイブレーション信号に応答して前記中空の本体を振動させるように構成された本体バイブレーターと、
前記中空の本体の内側に結合されたフォースフィードバックトリガーアセンブリであって、
印加された外力に応答してトリガー軸の周りを旋回するように構成されたユーザー作動可能なトリガーと、
前記通信サブシステムに通信可能に結合され、前記通信サブシステムを介して前記ユーザー作動可能なトリガーの引っ張りパラメーターを前記コンピューティングデバイスへ送るように構成されたエンコーダーと、
を含んだフォースフィードバックトリガーアセンブリと、
前記フォースフィードバックトリガーアセンブリに直接的に結合されると共に前記通信サブシステムに通信可能に結合され、前記通信サブシステムを介して前記コンピューティングデバイスから受け取られたトリガーバイブレーション信号に応答して前記ユーザー作動可能なトリガーを振動させるように構成されたトリガーバイブレーターと、
を備える入力デバイス。
【請求項１４】
前記トリガーバイブレーターは、偏心質量を質量軸の周りに回転させるように構成された回転モーターを含む、請求項１３に記載の入力デバイス。
【請求項１５】
前記トリガーバイブレーターは、前記ユーザー作動可能なトリガーに直接的に結合されている、請求項１４に記載の入力デバイス。
【請求項１６】
前記質量軸は、前記トリガー軸からほぼ径方向に方向付けられている、請求項１５に記載の入力デバイス。
【請求項１７】
前記トリガーは実質的に中空であり、前記トリガーバイブレーターは前記トリガーの内側に結合されている、請求項１５に記載の入力デバイス。
【請求項１８】
前記フォースフィードバックトリガーアセンブリは、前記ユーザー作動可能なトリガーと前記エンコーダーとの間に直接的に結合されたトリガーアクチュエーターを更に含み、前記トリガーアクチュエーターは、アクチュエーター軸の周りを旋回するように構成されると共に、前記ユーザー作動可能なトリガーの旋回を前記エンコーダーへ伝えるように更に構成され、前記トリガーバイブレーターは、前記トリガーアクチュエーターに直接的に結合されている、請求項１４に記載の入力デバイス。
【請求項１９】
前記質量軸は、前記アクチュエーター軸からほぼ径方向に方向付けられている、請求項１８に記載の入力デバイス。
【請求項２０】
前記質量軸は、前記アクチュエーター軸に対してほぼ接線方向に方向付けられている、請求項１８に記載の入力デバイス。
【請求項２１】
コンピューティングデバイスとの双方向通信を提供するように構成された通信サブシステムと、
フォースフィードバックトリガーアセンブリであって、
ユーザー作動可能なトリガーと、
前記通信サブシステムに通信可能に結合され、前記通信サブシステムを介して前記ユーザー作動可能なトリガーの引っ張りパラメーターを前記コンピューティングデバイスへ送るように構成されたエンコーダーと、
を含んだフォースフィードバックトリガーアセンブリと、
前記フォースフィードバックトリガーアセンブリに直接的に結合されると共に前記通信サブシステムに通信可能に結合され、前記通信サブシステムを介して前記コンピューティングデバイスから受け取られたバイブレーション信号に応答して前記ユーザー作動可能なトリガーを振動させるように構成されたトリガーバイブレーターと、
を備える入力デバイス。
【請求項２２】
前記ユーザー作動可能なトリガーは、ばねに結合されている、請求項２１に記載の入力デバイス。